(57)【特許請求の範囲】
【請求項１】
予め指定する時刻に予め指定するネットワーク上のハイパーテキストを取得するハイパーテキスト取得手段と、
前記ハイパーテキストを保存するハイパーテキスト保存手段と、
前記ハイパーテキストの再生条件を設定するユーザ設定手段と、
前記ユーザ設定手段で設定された再生条件で前記ハイパーテキスト保存手段に保存された未再生のハイパーテキストを指定された時刻に自動再生するハイパーテキスト再生手段を備えたことを特徴とするハイパーテキスト録画再生装置。
【請求項２】
前記ハイパーテキスト取得手段は、取得したハイパーテキストにリンクするリンクデータを取得し、前記ハイパーテキスト保存手段は、取得したリンクデータを保存することを特徴とする請求項１記載のハイパーテキスト録画再生装置。
【請求項３】
前記ハイパーテキスト保存手段に保存されたリンクデータが動画データである場合に、当該動画データを再生する動画再生手段を備えたことを特徴とする請求項２記載のハイパーテキスト録画再生装置。
【請求項４】
前記ハイパーテキスト保存手段に保存されたリンクデータが音声データである場合に、当該音声データを再生する音声再生手段を備えたことを特徴とする請求項２記載のハイパーテキスト録画再生装置。
【請求項５】
前記ハイパーテキスト再生手段は、同じハイパーテキストページに対して異なる時刻に録画された複数のデータがある場合に、前記再生条件で設定された条件に基づき、最も新しいデータを再生することを特徴とする請求項１に記載のハイパーテキスト録画再生装置。
【請求項６】
前記ハイパーテキスト再生手段は、前記再生条件で設定された条件に基づき、指定されたキーワードに一致するデータを再生することを特徴とする請求項１に記載のハイパーテキスト録画再生装置。
【請求項７】
予め指定する時刻に予め指定するネットワーク上のハイパーテキストを取得するハイパーテキスト取得ステップと、
前記ハイパーテキストを保存するハイパーテキスト保存ステップと、
前記ハイパーテキストの再生条件を設定するユーザ設定ステップと、
前記ユーザ設定ステップで設定された再生条件で前記ハイパーテキスト保存ステップに保存された未再生のハイパーテキストを指定された時刻に自動再生するハイパーテキスト再生ステップを備えたことを特徴とするハイパーテキスト録画再生方法。
【発明の詳細な説明】
【０００１】
【発明の属する技術分野】
本発明は通信ネットワークに接続可能な情報処理装置でネットワークを介して接続された機器間にまたがって関連付けられたハイパーテキストを収集保存でき、保存したハイパーテキスト保存データを表示／再生できる装置及び方法に関する。
【０００２】
【従来の技術】
また、インターネット上のハイパーテキストデータを録画する装置として、特開平１０−１０５４４８号公報に『文書録画支援装置』というシステムが提示されている。
タイマ動作を行うシステムとして、特開昭６１−１９６４４９号公報に『オーディオ制御装置』というシステムが提示されている。
【０００３】
【発明が解決しようとする課題】
ＷＷＷ（World Wide Web）は、インターネット上に構築されたハイパーテキストシステムであり、ネットワーク上で分散したハイパーテキストデータを扱うことができる。ハイパーテキストを構成するオブジェクトとしては、単なるテキストには留まらず、音声データや動画データ等、さまざまな種類のものが可能である。そのため、ＷＷＷは、情報参照者，情報提供者双方にとって魅力的であり、ＷＷＷへのアクセスのためのネットワーク上のトラフィックは、爆発的に増加している。
情報参照者は、ブラウザをクライアント上で実行させるだけで、ネットワーク上に分散したサーバ計算機が保持するさまざまなデータにアクセスすることができる。また、ネットワーク上に分散されたデータを収集し、クライアント側計算機にファイルとして保存する機能をもつシステムが見られるようになった。
【０００４】
前記特開平１０−１２４３７８号公報に記載された装置は、ネットワーク上に分散されたデータを収集し、クライアント側計算機にファイルとして保存する機能を持つ。しかし、この装置が支援するのは、録画のみで、録画されたデータを見るには、ユーザ自身がハイパーテキストを辿っていく操作が必要であるという問題点があった。
一方、特開昭６１−１９６４４９号公報に記載された装置は、タイマ動作での録画再生が可能であるが、録画再生できるのは、オーディオデータだけで、インターネット上のハイパーテキストデータは、録画再生できないという問題点があった。
本発明は、こうした問題を解決するためになされたもので、インターネット上のハイパーテキストデータを対象とし、ユーザが設定した時間に、自動で録画および再生ができる録画再生装置を提供することを目的としている。
【０００５】
【課題を解決するための手段】
上記目的を達成するために、本発明の第１の技術手段は、予め指定する時刻に予め指定するネットワーク上のハイパーテキストを取得するハイパーテキスト取得手段と、前記ハイパーテキストを保存するハイパーテキスト保存手段と、前記ハイパーテキストの再生条件を設定するユーザ設定手段と、前記ユーザ設定手段で設定された再生条件で前記ハイパーテキスト保存手段に保存された未再生のハイパーテキストを指定された時刻に自動再生するハイパーテキスト再生手段を備えたことを特徴とするものである。
【０００６】
本発明の第２の技術手段は、前記第１の技術手段において、前記ハイパーテキスト取得手段は、取得したハイパーテキストにリンクするリンクデータを取得し、前記ハイパーテキスト保存手段は、取得したリンクデータを保存することを特徴とするものである。
【０００７】
更に、本発明の第３の技術手段は、前記第２の技術手段において、前記ハイパーテキスト保存手段に保存されたリンクデータが動画データである場合に、当該動画データを再生する動画再生手段を備えたことを特徴とするものである。
【０００８】
更に、本発明の第４の技術手段は、前記第２の技術手段において、前記ハイパーテキスト保存手段に保存されたリンクデータが音声データである場合に、前記再生条件で設定された条件に基づき、当該音声データを再生する音声再生手段を備えたことを特徴とするものである。
【０００９】
本発明の第５の技術手段は、前記第１の技術手段において、前記ハイパーテキスト再生手段は、同じハイパーテキストページに対して異なる時刻に録画された複数のデータがある場合に、前記再生条件で設定された条件に基づき、最も新しいデータを再生することを特徴とするものである。
【００１１】
更に、本発明の第７の技術手段は、前記第１の技術手段において、前記ハイパーテキスト再生手段は、前記再生条件で設定された条件に基づき、指定されたキーワードに一致するデータを再生することを特徴とするものである。
【００１３】
更に、本発明の第７の技術手段は、予め指定する時刻に予め指定するネットワーク上のハイパーテキストを取得するハイパーテキスト取得ステップと、前記ハイパーテキストを保存するハイパーテキスト保存ステップと、前記ハイパーテキストの再生条件を設定するユーザ設定ステップと、前記ユーザ設定ステップで設定された再生条件で前記ハイパーテキスト保存ステップに保存された未再生のハイパーテキストを指定された時刻に自動再生するハイパーテキスト再生ステップを備えたことを特徴とするものである。
【００１４】
【発明の実施の形態】
本発明の実施形態を、図面に記載された実施例に基づいて説明する。
図１は、本発明によるハイパーテキスト録画再生装置の一実施例の構成を示すブロック図である。
このハイパーテキスト録画再生装置は、ネットワークと接続されており、装置全体を制御するＣＰＵ（中央演算処理装置)１と、ハイパーテキスト処理手段等の各手段をソフトウエア的に構成する各種プログラムが、読み込まれ実行されるＲＡＭ２と、ユーザがアプリケーションを操作するための、例えば、キーボードやマウスやペン等の入力装置３と、ハイパーテキストデータが表示されるディスプレイ４と、音声データが出力されるスピーカ５と、ネットワークに接続され、ネットワークアクセスを行うネットワーク装置１０と、例えば、ハードディスク等の外部記憶装置７と、各種プログラムを格納可能なＲＯＭ６と、各種プログラムを記憶可能なプログラムメディア９と、プログラムメディア９内のプログラムをＲＡＭ２に転送するためのプログラム読み込み装置８からなる。
様々なデータやプログラムは、ＲＯＭ６、外部記憶装置７、あるいはプログラムメディア９に格納されていて、実行前に、ＲＡＭ２内にロードされる。
ＲＡＭ２内には、ユーザ設定手段２１、ハイパーテキスト取得手段２２、ハイパーテキスト保存手段２３、タイマ起動手段２４、ハイパーテキスト再生手段２５が備えられ、外部記憶装置７内には、ハイパーテキスト録画データ７１、ユーザ設定データ７２、ハイパーテキストの録画再生履歴７３が格納される。
【００１５】
図２は、図１に示されたハイパーテキスト録画再生装置におけるハイパーテキスト再生手段の内部構成を示すブロック図である。
ハイパーテキスト再生手段２５は、ｈｔｍｌ表示手段２５１、動画再生手段２５２、音声再生手段２５３からなる。ｈｔｍｌ表示手段２５１は、ｈｔｍｌデータをディスプレイ４に表示する。動画再生手段２５２は、ディスプレイ４、スピーカ５に対して、動画データを再生出力する。音声再生手段２５３は、スピーカ５に対して音声データを再生出力する。
なお、図２に示したものは、本発明で扱うハイパーテキストの種類を限定するものでなく、ハイパーテキスト再生手段２５内には、ｈｔｍｌ、動画、音声以外の種類のデータに対するハイパーテキストデータ再生手段があってもよい。
【００１６】
図３は、図１に示されたハイパーテキスト録画再生装置の外部記憶装置におけるユーザ設定データの一例を示す図である。
ユーザ設定データ７２は、図３(Ａ)に示す録画設定、および図３(Ｂ)に示す再生設定からなる。
図３(Ａ)は、録画に関する設定データを具体的に示している。
図３(Ａ)中の録画ページ設定項目３１１は、録画対象のハイパーテキストが、http://www.com/A.htmlであり、録画時刻設定が、毎週土曜の１２:００であり、リンク先取得設定が「Ｙｅｓ」であることを示す。
録画に関する設定は、項目３１１に示したような録画ページ設定項目のリストである録画ページリスト３１からなる。
【００１７】
図３(Ｂ)は、再生に関する設定データを具体的に示している。
図３(Ｂ)中の項目３２は、同じハイパーテキストページに対して、複数の録画データがある場合に、最新のデータのみを再生するかどうかの設定である。
項目３３は、未再生の録画データを自動再生するかどうかの設定、項目３４は、項目３３の設定が「Ｙｅｓ」であるときに、未再生録画データをタイマ再生する時刻を示す。また、項目３５は、キーワードにマッチするもののみを再生対象とするかどうかの設定、項目３６は、項目３５の設定が「Ｙｅｓ」であるときのキーワード自体の設定である。
再生ページ設定項目３７１は、再生対象のハイパーテキストが、http://www.com/A.htmlであり、再生時刻設定が、毎週土曜の２１:００であり、ユーザ自身のハイパーテキストを辿る操作なしに録画データを順次自動再生する設定であること示す。なお、順次再生の設定は、録画設定にてのリンク先取得設定が、「Ｙｅｓ」で録画されるハイパーテキストページにのみ有効となる。
再生に関する設定は、項目３２〜３６の項目と、再生ページリスト３７からなる。再生ページリスト３７は、項目３７１に示したような再生ページ設定項目のリストである。
【００１８】
図４は、図１に示されたハイパーテキスト録画再生装置の外部記憶装置における録画再生履歴データの一例を示す図である。
項目４１１は、ファイル名が、savefile2.datという名称で、２０００年４月１日１２時１分００秒に、http://www.com/A.htmlを録画したページであり、録画後まだ再生されていないことを示す。項目４１の録画設定ページの値http://www.com/A.htmlは、項目４１が、http://www.com/A.htmlのリンク先取得録画によって録画されたデータであることを示す。
録画再生履歴リスト４１は、項目４１１に示したようなデータのリストからなる。
以下、図１、図２に示したハイパーテキスト録画再生装置の動作を詳細に説明する。
【００１９】
図５は、図１に示されたハイパーテキスト録画再生装置のＲＡＭ内のユーザ設定手段の処理手順を示すフローチャート図である。
ユーザ設定手段２１は、ユーザの入力装置３を通じてのオペレーションを待つ(ステップＳ５０１)。
次に、ユーザオペレーションが、ユーザ設定表示のオペレーションであるか否かを判断する（ステップＳ５０２）。
ユーザのオペレーションが、ユーザ設定表示のオペレーションでなければ、ステップＳ５０１に戻り、ユーザ設定表示のオペレーションであれば、ユーザ設定データ７２を表示し(ステップＳ５０３)、次のユーザオペレーションを待つ(ステップＳ５０４)。
ユーザオペレーションがあると、そのオベレーションが、ユーザ設定表示終了のオペレーションであるか否かを判断する(ステップＳ５０５)。
【００２０】
ユーザオペレーションが、ユーザ設定表示終了のオペレーションであれば、ユーザ設定表示を終了し（ステップＳ５０６）、ステップＳ５０１に戻り、ユーザオペレーションが、ユーザ設定表示終了のオペレーションでなければ、ステップＳ５０７へ処理を移行する。
ステップＳ５０７では、ユーザオペレーションが、ユーザ設定変更のオペレーションであるか否かを判断する。
ユーザオペレーションが、ユーザ設定変更のオペレーションであれば、ユーザオペレーションに応じて、ユーザ設定データ７２を更新し(ステップＳ５０８)、ステップＳ５０４に戻り、ユーザオペレーションが、ユーザ設定変更のオペレーションでなければ、ステップＳ５０４へ処理を移行する。
【００２１】
図６は、図１に示されたハイパーテキスト録画再生装置のＲＡＭ内のタイマ起動手段の処理手順を示すフローチャート図である。
タイマ起動手段２４は、外部記憶装置７内のユーザ設定データ７２にある録画ページリスト３１（図３（Ａ）参照）を、先頭から順にサーチし、１項目ずつピックアップし(ステップＳ６０１）、録画設定ページがあるか否かを判断する(ステップＳ６０２）。
ピックアップする録画設定項目があれば、ステップＳ６０３に進み、すべてピックアップし終われば、ステップＳ６０５へ処理を移行する。
ステップＳ６０３では、ピックアップした録画設定項目について録画設定時刻になっているか否かを判定する。
録画設定時刻になっていれば、ハイパーテキスト取得手段の処理実行（ステップＳ６０４）後、次の録画設定項目について処理を行うために、ステップＳ６０２へ処理を移行し、録画設定時刻になっていなければ、次の録画設定項目について処理を行うために、ステップＳ６０２へ処理を移行する。
ステップＳ６０５では、外部記憶装置７内のユーザ設定データ７２の再生ページリスト３７（図３（Ｂ）参照）を先頭から順にサーチし、１項目ずつピックアップし、その後、再生設定ページがあるか否かを判断する(ステップＳ６０６）。
【００２２】
ピックアップする再生設定項目があれば、ステップＳ６０７に進み、すべてピックアップし終われば、ステップＳ６０９へ処理を移行する。
ステップＳ６０７では、ピックアップした再生設定項目について、再生設定時間になっているか否かを判定する。
再生設定時刻になっていれば、ハイパーテキスト再生手段の処理を実行（ステップＳ６０８）後、次の再生設定項目について処理を行うため、ステップＳ６０６の処理に移行し、再生設定時刻になっていなければ、次の再生設定項目について処理を行うために、ステップＳ６０６の処理に戻る。
ステップＳ６０９では、未再生データの再生時刻設定３４（図３（Ｂ）参照）に設定された時刻になったか否かを判定する。この判定は、外部記憶装置７内のユーザ設定データ７２の未再生データ再生設定３３（図３（Ｂ））が、「Ｙｅｓ」に設定されているときのみ行い、「Ｎｏ」に設定されている場合には、ステップＳ６０１の処理に戻る。
未再生データの再生時刻設定３４に設定された時刻になっていれば、ハイパーテキスト再生手段の処理（ステップＳ６１０）へ、未再生データの再生時刻設定３４に設定された時刻になっていなければ、ステップＳ６０１の処理に戻る。
【００２３】
図７は、図１に示されたハイパーテキスト録画再生装置のＲＡＭ内のハイパーテキスト取得手段の処理手順を示すフローチャート図である。
ハイパーテキスト取得手段２２は、タイマ起動手段２４がピックアップした録画設定項目がすでに録画済みであるか否かを判定する(ステップＳ７０１）。
この判定では、「録画設定項目のハイパーテキストページと同じハイパーテキストペ−ジ属性の値を持ち、且つ、録画時刻属性の値が、録画設定項目の録画時刻属性の値より時刻的に後」である項目が、外部記憶装置７内の録画再生履歴データ７３の録画再生履歴リスト４１に存在したときに録画済みであるとする。
次に、タイマ起動手段２４が、ピックアップした録画設定項目が示すハイパーテキストページをネットワーク装置１０を介して取得（ステップＳ７０２）し、その後、ハイパーテキスト保存手段の処理（ステップＳ７０３）に移る。
【００２４】
ステップＳ７０３の処理が終了すると、タイマ起動手段２４がピックアップした録画設定項目において、リンク先取得の属性が「Ｙｅｓ」か「Ｎｏ」かを調べ、「Ｙｅｓ」であれば、ステップＳ７０５へ処理を移行し、「Ｎｏ」であれば、ハイパーテキスト取得手段処理の呼び出し元にリターンする。
ステップＳ７０５では、取得したハイパーテキストページデータ内からのリンクを先頭から順にサーチし、１項目ずつピックアップし、その後、次のリンクがあるか否かを判定する（ステップＳ７０６）。
ピックアップするリンクがあれば、ステップＳ７０７へ処理を移行し、すべてピックアップし終われば、ハイパーテキスト取得手段処理の呼び出し元にリターンする。
ステップＳ７０７では、ピックアップしたリンク先のハイパーテキストページデータを取得するためにハイパーテキスト取得手段の処理を実行し、ハイパーテキスト保存手段の処理（ステップＳ７０８）に移行する。
ステップＳ７０８の処理が終了すると、次のリンク先について処理を行うために、ステップＳ７０６の処理に戻る。
【００２５】
図８は、図１に示されたハイパーテキスト録画再生装置のＲＡＭ内のハイパーテキスト保存手段の処理手順を示すフローチャート図である。
ハイパーテキスト保存手段２３は、ハイパーテキスト取得手段２２が取得したハイパーテキストデータを保存するファイル名を決定する(ステップＳ８０１)。このとき、ファイル名は、すでに存在しないファイル名に決定する。
例えば、図４の録画再生履歴リスト４１を例にあげると、savefiles１、savefile２、savefile３、次いで、ステップＳ８０１で決定したファイル名で、ハイパーテキスト取得手段２２が取得したハイパーテキストデータを保存し(ステップＳ８０２）、保存したデータに関する録画再生履歴項目を録画再生履歴リスト４１（図４参照）に追加した(ステップＳ８０３）後、ハイパーテキスト保存手段処理の呼び出し元にリターンする。
ステップＳ８０３では、具体的には、録画再生履歴リスト４１に、「ハイパーテキストページ属性＝ハイパーテキスト取得手段２２が取得したハイパーテキストデータのＵＲＬ」，「録画設定ページ属性＝タイマ起動手段２４がピックアップした録画設定項目のハイパーテキストページ属性」，「録画時刻＝ステップＳ８０３を実行した時刻」,「再生済み属性＝Ｎｏ」という値をもつ項目を追加する。
【００２６】
図９は、図１に示されたハイパーテキスト録画再生装置のＲＡＭ内のハイパーテキスト再生手段の処理手順を示すフローチャート図である。
ハイパーテキスト再生手段２５は、先ず、未再生データの再生か否かを判定すし（ステップＳ９０１）、未再生データの再生の場合、ステップＳ９０３へ、未再生データの再生でない場合、ステップＳ９０２へ処理を移行する。
タイマ起動手段２４における処理のステップＳ６１０（図６参照）からステップＳ９０１に処理が進んだ場合は、未再生データの再生であり、ステップＳ６０７からステップＳ９０１に処理が進んだ場合は、未再生データの再生でない。
ステップＳ９０２では、次に示す指定データ再生処理を実行した後、ハイパーテキスト再生手段の呼び出し元にリターンする。
ステップＳ９０３では、録画再生履歴リスト４１（図４参照）を先頭から順にサーチし、再生済み属性が「Ｎｏ」のものを、１項目ずつピックアップし、続いて、次にピックアップする項目があるか否かを判定する(ステップＳ９０４)。
次に、ピックアップする項目があれば、ステップＳ９０５へ処理を移行し、すべてピックアップし終われば、ハイパーテキスト再生手段処理の呼び出し元にリターンする。
ステップＳ９０５では、指定データ再生処理を実行した後、次の未再生データについて処理を行うために、ステップＳ９０４の処理に戻る。
【００２７】
図１０は、図１に示されたハイパーテキスト録画再生装置の指定データ再生処理の手順を示すフローチャート図である。
指定データ再生処理では、録画再生履歴リスト４１（図４）を先頭から順にサーチし、再生すべき録画データに対する項目を、１項目ずつ順にピックアップする(ステップＳ１０１)。
ピックアップすべき録画再生履歴項目は、指定データ再生処理に、どこから移行してきたか、および再生設定項目がどう設定されているかにより異なる。
具体的には、以下の条件を満たすものをピックアップする。
（１）図９のステップＳ９０２から移行してきた場合で、タイマ起動手段２４がピックアップした再生設定項目において、順次、再生設定が「Ｙｅｓ」でない場合
録画再生履歴項目でのハイパーテキストページ属性の値が、タイマ起動手段２４がピックアップした再生設定項目のハイパーテキストページの属性値と同じものすべて。
（２）図９のステップＳ９０２から移行してきた場合で、タイマ起動手段２４がピックアップした再生設定項目において、順次、再生設定が「Ｙｅｓ」である場合
録画再生履歴項目でのハイパーテキストページ属性の値が、タイマ起動手段２４がピックアップした再生設定項目の録画設定ページの属性値と同じものすべて。
（３）図９のステップＳ９０５から移行してきた場合
ハイパーテキスト再生手段が、ステップＳ９０４でピックアップした録画再生履歴項目のみ。
【００２８】
次いで、ステップＳ１０２では、ピックアップする録画再生履歴項目があれば、ステップＳ１０３へ処理を移行し、すべてピックアップし終われば、指定データ再生処理の呼び出し元にリターンする。
ステップＳ１０３では、最新データ再生設定３２（図３（Ｂ）参照）の値が「Ｙｅｓ」か「Ｎｏ」かを調べ、「Ｙｅｓ」であれば、ステップＳ１０４へ処理を移行し、「Ｎｏ」ならば、ステップＳ１０５へ処理を移行する。
ステップＳ１０４では、ピックアップした録画再生履歴項目に対する録画データが、最新の録画データであるか否かを判定し、最新の録画データであれば、ステップＳ１０５へ、最新の録画データでなければ、ステップＳ１０２の処理へ戻る。
録画再生履歴項目に対する録画データが最新の録画データであるか否かは、具体的には、録画再生履歴リスト４１（図４）の中で、ピックアップした録画再生履歴項目のハイパーテキストページ属性の値が同じ項目の集合の中で、録画時刻を調べ、ピックアップした録画再生履歴項目の録画時刻が最新であれば、最新の録画データと判定する。
ステップＳ１０５では、キーワードマッチ再生設定３５（図３（Ｂ））の値が「Ｙｅｓ」か「Ｎｏ」かを調べ、「Ｙｅｓ」であれば、ステップＳ１０６へ処理を移行し、「Ｎｏ」であれば、ステップＳ１０７へ処理を移行する。
【００２９】
ステップＳ１０６では、録画データ内にキーワードが含まれるか否かを判定する。録画データは、ピックアップした録画再生履歴項目の録画ファイル属性で示されるファイルに格納されているので、このファイル内データに、キーワードが含まれるかどうかを判定する。
ステップＳ１０７では、録画データがｈｔｍｌデータであるか否かを判定し、ｈｔｍｌデータであれば、ステップＳ１０８へ、ｈｔｍｌデータでなければ、ステップＳ１０９へ処理を移行する。
ステップＳ１０９では、録画データが動画データであるか否かを判定し、動画データであれば、ステップＳ１１０へ、動画データでなければ、ステップＳ１１１へ処理を移行する。
ステップＳ１１１では、録画データが音声データであるか否かを判定し、音声データであれば、ステップＳ１１２へ、音声データでなければ、ステップＳ１０２の処理に戻る。
ステップＳ１０８では、録画再生履歴項目の録画ファイル属性で示されるファイルに格納されたｈｔｍｌデータをｈｔｍｌ表示手段２５１（図２）によりディスプレイ４に表示した後、ステップＳ１１３の処理に移行する。
【００３０】
ステップＳ１１０では、録画再生履歴項目の録画ファイル属性で示されるファイルに格納された動画データを、動画再生手段２５２（図２）により、ディスプレイ４、あるいはスピーカ５に出力した後、ステップＳ１１３の処理に移行する。
ステップＳ１１２では、録画再生履歴項目の録画ファイル属性で示されるファイルに格納された音声データを、音声再生手段２５３（図２）により、スピーカ５に出力した後、ステップＳ１１３の処理に移行する。
ステップＳ１１３では、ピックアップした録画再生履歴項目の再生済み属性を「Ｙｅｓ」に変更した後、ステップＳ１０２の処理に戻る。
なお、本実施例においては、録画設定したハイパーテキストページ内のリンク先ページのみを録画する例で説明したが、リンク先ページ内からのリンク先ページも再帰的に取得するような構成も可能である。
【００３１】
【発明の効果】
インターネット上のハイパーテキストデータについて、ユーザが設定した時刻での、自動録画、および自動再生が可能であり、録画開始時点や再生開始時点でのユーザ操作が不要となる。
また、録画データからのリンク先ページの録画が可能で、このような録画を行ったデータに対しては、ユーザ自身のハイパーテキストを辿る操作なしに、ハイパーテキストデータを、順次、自動再生することができる。
また、録画したが、再生はしていない録画データを、ユーザ自身のハイパーテキストを辿る操作なしに、順次、自動再生することができる。
また、同じハイパーテキストデータに対する録画データが、複数存在する場合に、最新の録画データのみを自動再生し、古い録画データを再生対象から外すことができる。
また、ユーザが指定したキーワードを含む録画データのみを自動再生し、キーワードを含まない録画データを再生対象から外すことができる。
【図面の簡単な説明】
【図１】本発明によるハイパーテキスト録画再生装置の一実施例の構成を示すブロック図である。
【図２】図１に示されたハイパーテキスト録画再生装置におけるハイパーテキスト再生手段の内部構成を示すブロック図である。
【図３】図１に示されたハイパーテキスト録画再生装置の外部記憶装置におけるユーザ設定データの一例を示す図である。
【図４】図１に示されたハイパーテキスト録画再生装置の外部記憶装置における録画再生履歴データの一例を示す図である。
【図５】図１に示されたハイパーテキスト録画再生装置のＲＡＭ内のユーザ設定手段の処理手順を示すフローチャート図である。
【図６】図１に示されたハイパーテキスト録画再生装置のＲＡＭ内のタイマ起動手段の処理手順を示すフローチャート図である。
【図７】図１に示されたハイパーテキスト録画再生装置のＲＡＭ内のハイパーテキスト取得手段の処理手順を示すフローチャート図である。
【図８】図１に示されたハイパーテキスト録画再生装置のＲＡＭ内のハイパーテキスト保存手段の処理手順を示すフローチャート図である。
【図９】図１に示されたハイパーテキスト録画再生装置のＲＡＭ内のハイパーテキスト再生手段の処理手順を示すフローチャート図である。
【図１０】図１に示されたハイパーテキスト録画再生装置の指定データ再生処理の手順を示すフローチャート図である。
【符号の説明】
１…ＣＰＵ（中央演算処理装置)、２…ＲＡＭ、３…入力装置、４…ディスプレイ、５…スピーカ、６…ＲＯＭ、７…外部記憶装置、８…プログラム読み込み装置、９…プログラムメディア、１０…ネットワーク装置、２１…ユーザ設定手段、２２…ハイパーテキスト取得手段、２３…ハイパーテキスト保存手段、２４…タイマ起動手段、２５…ハイパーテキスト再生手段、７１…ハイパーテキスト録画データ、７２…ユーザ設定データ、７３…ハイパーテキストの録画再生履歴。
【図１】
0004420530.tif 000002
【図２】
0004420530.tif 000003
【図３】
0004420530.tif 000004
【図４】
0004420530.tif 000005
【図５】
0004420530.tif 000006
【図６】
0004420530.tif 000007
【図７】
0004420530.tif 000008
【図８】
0004420530.tif 000009
【図９】
0004420530.tif 000010
【図１０】
0004420530.tif 000011